(57)【要約】【課題】  入力ケーブルと入力ケーブルにより電力が供給される装置とを接続する端子接続構造のケーブル配線方向の長大化を抑制する。【解決手段】  隔壁としての端子台３の載置板部３ａ及び間仕切り壁３ｇにより、入力ケーブル５及び装置側ケーブル６の端子５ｃ，６ａが接続される端子接続部１０とは隔絶された接地用空間１１が形成されている。ケーシング２の底部には接地用空間１１に対応する位置にシールド線接地部２ｄが設けられており、入力ケーブル５のシールド部５ｂの先端がボルト１２により接続されている。【選択図】図３
2005251507.tif 000002
【特許請求の範囲】
【請求項１】
導線部とその周りを覆うシールド部を有する入力ケーブルの導線部と前記入力ケーブルにより電力が供給される装置とを接続する端子接続部と、
前記入力ケーブルのシールド線を接地するシールド線接地部と、
前記端子接続部を支持固定する端子台とを備え、
前記シールド線接地部は、絶縁性材料からなる隔壁により前記端子接続部と隔絶されていることを特徴とする端子接続構造。
【請求項２】
前記端子接続部とシールド線接地部が共通の導電性材料からなるカバーによって覆われており、前記シールド線を前記カバーに接触させることにより前記シールド線接地部が形成される請求項１に記載の端子接続構造。
【請求項３】
前記隔壁は、前記端子台の前記入力ケーブルが載置される載置板部と、端子接続部とシールド線接地部との最短距離を遮る位置に配置される間仕切り壁とからなる請求項１又は２に記載の端子接続構造。
【請求項４】
前記シールド線は、前記シールド線接地部にボルトによって固定されている請求項１から３のいずれか一項に記載の端子接続構造。
【発明の詳細な説明】
【技術分野】
【０００１】
本発明は、入力ケーブルと入力ケーブルにより電力が供給される装置（例えば電動モータ）とを接続する端子接続部を有する端子接続構造に関する。
【背景技術】
【０００２】
この種の端子接続構造としては、例えば、特許文献１に開示された構成のものが挙げられる。すなわち、圧縮機を駆動するための電動モータへ電力を供給するための入力ケーブルの端子金具は、コネクタケーシング内に配設された樹脂ケースに支持された状態で装置側（電動モータ側）の端子と接続されている。
【０００３】
また、入力ケーブルは、導線とその周囲を被覆するシールド部とから構成されており、このシールド部を金属で形成された導通部材を介して、同じく金属で形成された圧縮機ハウジングと導通させることによりシールド部の接地が図られている。
【特許文献１】特開２００４−３５１６号公報（第２図）
【発明の開示】
【発明が解決しようとする課題】
【０００４】
ところが、特許文献１に開示された構成のものでは、入力ケーブルの端子金具と装置側端子との端子接続部分と、シールド部の導通部材により支持された部分との間に安全規格上必要な距離（絶縁距離）を確保しなければならず、このために端子接続構造の入力ケーブル配線方向の長大化が避けられなかった。
【０００５】
本発明の目的は、入力ケーブルと入力ケーブルにより電力が供給される装置とを接続する端子接続構造のケーブル配線方向の長大化を抑制することを目的とする。
【課題を解決するための手段】
【０００６】
上記の目的を達成するために、請求項１に記載の発明では、導線部とその周りを覆うシールド部を有する入力ケーブルの導線部と前記入力ケーブルにより電力が供給される装置とを接続する端子接続部と、前記入力ケーブルのシールド線を接地するシールド線接地部と、前記端子接続部を支持固定する端子台とを備え、前記シールド線接地部は、絶縁性材料からなる隔壁により前記端子接続部と隔絶されている。
【０００７】
シールド線接地部が隔壁により端子接続部と隔絶されているため、シールド線接地部と端子接続部との最短距離を安全規格上必要な絶縁距離よりも小さく設定することができる。
【０００８】
請求項２に記載の発明では、請求項１に記載の発明において、前記端子接続部とシールド線接地部が共通の導電性材料からなるカバーによって覆われており、前記シールド線を前記カバーに接触させることにより前記シールド線接地部が形成される。
【０００９】
シールド線の接地は導電性材料で形成されたカバーにシールド線先端を接触させることにより行われる。
【００１０】
請求項３に記載の発明では、請求項１又は請求項２の発明において、前記隔壁は、前記端子台の前記入力ケーブルが載置される載置板部と、端子接続部とシールド線接地部との最短距離を遮る位置に配置される間仕切り壁とからなる。
【００１１】
絶縁材料からなる端子台自体がシールド線接地部を端子接続部から隔絶する隔壁として機能する。
【００１２】
請求項４に記載の発明では、請求項１から請求項３の何れか１項の発明において、前記シールド線は、前記シールド線接地部にボルトによって固定されている。
【００１３】
シールド線は、ボルトという簡便でかつ振動に対する信頼性の高い固定手段によりシールド線接地部に固定される。
【発明の効果】
【００１４】
請求項１〜４の発明によれば、入力ケーブルと入力ケーブルにより電力が供給される装置とを接続する端子接続構造の入力ケーブル配線方向の寸法が短縮される。
【発明を実施するための最良の形態】
【００１５】
以下、本発明の端子接続構造の一実施形態を図１〜図３に従って説明する。
【００１６】
図１に示すように、端子接続構造は、導電性材料である金属で形成された上蓋１と、同じく金属で形成され上方が開放された箱形状のケーシング２と、絶縁性材料である樹脂で形成された端子台３とを有する。端子台３はケーシング２の内部に収容され、上蓋１及びケーシング２からなるカバーにより覆われる。ケーシング２の側部にはケーブル挿通孔２ａ及びネジ孔２ｂが形成されており、ケーシング２の底部にはケーブル挿通孔２ｃが形成されている。端子台３は、入力ケーブル及び出力ケーブルが載置される載置板部３ａと、載置板部３ａから上方に立設された区画壁部３ｂを備えている。本実施形態では、載置板部３ａと区画壁部３ｂとで形成されるケーブル載置空間は３つ設けられており、ケーシング２のケーブル挿通孔２ａから挿通された３本の入力ケーブルが３つのケーブル載置空間にそれぞれ配置される。なお、ケーシング２は金属で形成されたモータハウジング（図示せず）に固定される。載置板部３ａの下部にはネジ孔３ｃが形成された取付ブロック３ｄが形成されている。
【００１７】
図２に示すように、載置板部３ａの略中央部分には貫通孔３ｅがそれぞれのケーブル載置空間毎に形成されている。さらに端子台３は、載置板部３ａを挟んで区画壁部３ｂとは反対側に形成される脚壁３ｆと、貫通孔３ｅの近傍において脚壁３ｆと直交する方向に形成された間仕切り壁３ｇとを有している。図示しないボルト及びナット４により端子台３は取付ブロック３ｄを介してケーシング２に固定される。
【００１８】
図３に示すように、端子台３がケーシング２に固定された状態では、端子台３の間仕切り壁３ｇの下面はケーシング２の底部に当接する。ケーブル挿通孔２ａから挿通された入力ケーブル５は、導線部５ａとその周りを覆っているシールド部５ｂとから構成されており、導線部５ａは載置板部３ａ上のケーブル載置空間内に載置される。一方、ケーシング２の底部のケーブル挿通孔２ｃを挿通された装置側ケーブル６は、図示しないモータから端子台３の反入力ケーブル５側端部を回って載置板部３ａ上のケーブル載置空間内に載置される。入力ケーブル５及び装置側ケーブル６の先端部にはそれぞれ端子５ｃ，６ａが形成されている。端子５ｃ，６ａにはそれぞれボルト７が挿通される挿通孔５ｄ，６ｂが形成されており、同じく挿通孔９ａが形成された板９を介して、載置板部３ａの貫通孔３ｅに挿通されたボルト７、ナット８により端子５ｃ，６ａが接続される。載置板部３ａの貫通孔３ｅ、ボルト７、ナット８、板９により端子接続部１０が形成されている。
【００１９】
隔壁としての端子台３の載置板部３ａ及び間仕切り壁３ｇにより、入力ケーブル５及び装置側ケーブル６の端子５ｃ，６ａが接続される端子接続部１０とは隔絶された接地用空間１１が形成されている。ケーシング２の底部には接地用空間１１に対応する位置にシールド線接地部２ｄが設けられており、入力ケーブル５のシールド部５ｂの先端がボルト１２により接続されている。金属製のケーシング２及び図示しないモータハウジングと導通されることによりシールド部５ｂが接地される。なお、図３では３本の入力ケーブルのうちの一本しか図示されていないが、シールド線接地部２ｄには３本のシールド部５ｂの先端が全て接続される。
【００２０】
上記構成の本実施形態においては次のような効果を奏する。
（１）シールド部５ｂの接地が、ボルト７、ナット８、板９により端子５ｃ，６ａが固定された端子接続部１０とは、隔壁としての端子台３の載置板部３ａ及び間仕切り壁３ｇにより隔絶されたシールド線接地部２ｄで行われるため、端子接続部１０とシールド線接地部２ｄとの絶縁距離は、端子接続部１０及びシールド線接地部２ｄを結ぶ最短距離ではなく、端子台３を挟んだ沿面距離で設定することができ、入力ケーブル５の配線方向（図３の左右方向）に端子接続構造が長大化することがなくなる。
（２）端子接続部１０及びシールド線接地部２ｄが、金属からなる上蓋１及びケーシング２で形成されたカバーにより覆われていることにより、防水性及び防塵性が確保される共に、入力ケーブル５のシールド部５ｂをケーシング２に設けられたシールド線接地部２ｄに接続するだけの簡易な構成でシールド部５ｂの接地を図ることが可能となる。
（３）隔壁として、端子台３の載置板部３ａや端子接続部１０とシールド線接地部２ｄとを結ぶ最短距離の間に設ける間仕切り壁３ｇを利用しているので、端子台３とは他の構成部材を用いて隔壁を形成する形態に比べて構造が簡素となる。
（４）ケーシング２の底部に形成されたシールド線接地部２ｄにボルト１２によりシールド部５ｂの先端を固定する構造を採用しているため、例えば、３本分の入力ケーブル５のシールド線部５ｂを平板で挟んで固定する形態に比べて、振動に対する信頼性が向上する。
【００２１】
なお、本発明の主旨を逸脱しない範囲で例えば以下の態様でも実施することができる。
【００２２】
○上記実施形態は、端子台３の載置板部３ａと間仕切り壁３ｇにより隔壁を構成したが、端子台３とは別の構成部材で隔壁を形成してもよい。
【００２３】
○上記実施形態では、シールド線接地部２ｄがケーシング１の底部に形成されていたが、上蓋１及びケーシング２が共に金属で形成されている場合、端子台３の上蓋１の側に、端子台３の構成部分又は別の構成部材により端子接続部１０から隔絶された空間を形成すると共に、その空間内においてシールド線部５ｂの先端部を上蓋１に形成されたシールド線接地部に接続するようにしてもよい。シールド線部５ｂは上蓋１、ケーシング２、モータハウジングの順で接地される。
【００２４】
○上記実施形態では、上蓋１及びケーシング２が金属で形成されていたが、これを樹脂のような絶縁材料で形成するととも、モータハウジングに接触可能な金属で形成された接地部材を上蓋又はケーシングを貫通するようにして設け、この接地部材にシールド線を接続するようにしてもよい。
【００２５】
○シールド線部５ｂのケーシング２への固定は、ボルト１２に限らず、平板を用いて挟み込み固定してもよい。
【図面の簡単な説明】
【００２６】
【図１】本実施形態の端子接続構造を示す概略斜視図。
【図２】本実施形態の端子台の下面図。
【図３】本実施形態の端子接続構造の部分側断面図。
【符号の説明】
【００２７】
１・・・カバーを構成する上蓋、２・・・カバーを構成するケーシング、２ｄ・・・シールド線接地部、３・・・端子台、３ａ・・・隔壁としての載置板部、３ｇ・・・隔壁としての間仕切り壁、５・・・入力ケーブル、５ａ・・・導線部、５ｂ・・・シールド線部、５ｃ・・・端子、６・・・装置側ケーブル、６ａ・・・端子、１０・・・端子接続部、１２・・・ボルト。
【図１】
2005251507.tif 000003
【図２】
2005251507.tif 000004
【図３】
2005251507.tif 000005